(57)【要約】【課題】  ＭＢＭＳ等の新たなサービス専用の共通チャネルが設定された場合に、セル内に存在する移動局が受信したいサービスの状況に応じ、追加となった専用サービスの共通チャネルを適切な送信電力で送信可能な基地局装置を提供する。【解決手段】  有効パス判定部１３４は個別チャネル受信部から出力されたパスサーチ結果の有効パス位置情報１１１〜１１ｍに基づいて、有効パス位置があるしきい値αよりも近いパス遅延情報を検出する。判定部１３３は、有効パス位置があるしきい値αよりも近いパス遅延情報のうち、信号１０３から入力される追加された共通チャネルを利用している移動局の情報に該当するかどうかを判定する。送信電力設定部１３２は有効パス位置があるしきい値α以下で、追加された共通チャネルを利用している移動局がある場合、追加された共通チャネルの送信電力をＡからＢに下げる。【選択図】      図２
2008136005.tif 000002
【特許請求の範囲】
【請求項１】
少なくともＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の共通チャネルの送信電力を制御する移動通信システムであって、
前記共通チャネルを使用する移動局が基地局装置近傍にしか存在しないことを有効パス状態に基づいて検出した時に前記共通チャネルの送信電力をその検出前の送信電力より小さくする制御手段を有することを特徴とする移動通信システム。
【請求項２】
前記制御手段を、前記基地局装置と、当該基地局装置を制御する基地局制御装置とのいずれかに配設したことを特徴とする請求項１記載の移動通信システム。
【請求項３】
前記制御手段は、パスサーチ結果による前記移動局の有効パスの状態を用いてセル内の受信位置を監視し、追加した共通チャネルにおけるサービスを受ける移動局が前記基地局装置近傍にしか存在しない場合、追加の共通チャネルの送信電力を小さくすることを特徴とする請求項１または請求項２記載の移動通信システム。
【請求項４】
前記制御手段は、上位局から指定された送信電力値を基準にして、個別チャネルの受信手段における有効パスを用いて前記追加された共通チャネルを利用している個別チャネルの中で最も有効パス位置の遠い移動局を検出し、その検出した移動局の有効パス位置から前記追加された共通チャネルの送信電力を変更するかどうかを判定することを特徴とする請求項３記載の移動通信システム。
【請求項５】
前記制御手段は、前記追加された共通チャネルを利用したい移動局が所定のしきい値数以上存在しないと判定した場合、前記追加された送信電力をその判定時点の送信電力よりも小さくするように制御することを特徴とする請求項３または請求項４記載の移動通信システム。
【請求項６】
ＣＤＭＡ（Ｃｏｄｅ  Ｄｉｖｉｓｉｏｎ  Ｍｕｌｔｉｐｌｅ  Ａｃｃｅｓｓ）方式を用いることを特徴とする請求項１から請求項５のいずれか記載の移動通信システム。
【請求項７】
少なくともＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の共通チャネルの送信電力を制御する移動通信システムに用いる基地局装置であって、
前記共通チャネルを使用する移動局が自局近傍にしか存在しないことを有効パス状態に基づいて検出した時に前記共通チャネルの送信電力をその検出前の送信電力より小さくする制御手段を有することを特徴とする基地局装置。
【請求項８】
前記制御手段は、パスサーチ結果による前記移動局の有効パスの状態を用いてセル内の受信位置を監視し、追加した共通チャネルにおけるサービスを受ける移動局が前記自局近傍にしか存在しない場合、追加の共通チャネルの送信電力を小さくすることを特徴とする請求項７記載の基地局装置。
【請求項９】
前記制御手段は、上位局から指定された送信電力値を基準にして、個別チャネルの受信手段における有効パスを用いて前記追加された共通チャネルを利用している個別チャネルの中で最も有効パス位置の遠い移動局を検出し、その検出した移動局の有効パス位置から前記追加された共通チャネルの送信電力を変更するかどうかを判定することを特徴とする請求項８記載の基地局装置。
【請求項１０】
前記制御手段は、前記追加された共通チャネルを利用したい移動局が所定のしきい値数以上存在しないと判定した場合、前記追加された送信電力をその判定時点の送信電力よりも小さくするように制御することを特徴とする請求項８または請求項９記載の基地局装置。
【請求項１１】
前記移動通信システムは、ＣＤＭＡ（Ｃｏｄｅ  Ｄｉｖｉｓｉｏｎ  Ｍｕｌｔｉｐｌｅ  Ａｃｃｅｓｓ）方式の移動通信システムであることを特徴とする請求項７から請求項１０のいずれか記載の基地局装置。
【請求項１２】
少なくともＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の共通チャネルの送信電力を制御する移動通信システムに用いる共通チャネル送信電力制御方法であって、
基地局装置と当該基地局装置を制御する基地局制御装置とのいずれかが、前記共通チャネルを使用する移動局が前記基地局装置近傍にしか存在しないことを有効パス状態に基づいて検出した時に前記共通チャネルの送信電力をその検出前の送信電力より小さくする制御処理を実行することを特徴とする共通チャネル送信電力制御方法。
【請求項１３】
前記基地局装置と前記基地局制御装置とのいずれかが、前記制御処理において、パスサーチ結果による前記移動局の有効パスの状態を用いてセル内の受信位置を監視し、追加した共通チャネルにおけるサービスを受ける移動局が前記基地局装置近傍にしか存在しない場合、追加の共通チャネルの送信電力を小さくすることを特徴とする請求項１２記載の共通チャネル送信電力制御方法。
【請求項１４】
前記基地局装置と前記基地局制御装置とのいずれかが、前記制御処理において、上位局から指定された送信電力値を基準にして、個別チャネルの受信手段における有効パスを用いて前記追加された共通チャネルを利用している個別チャネルの中で最も有効パス位置の遠い移動局を検出し、その検出した移動局の有効パス位置から前記追加された共通チャネルの送信電力を変更するかどうかを判定することを特徴とする請求項１３記載の共通チャネル送信電力制御方法。
【請求項１５】
前記基地局装置と前記基地局制御装置とのいずれかが、前記制御処理において、前記追加された共通チャネルを利用したい移動局が所定のしきい値数以上存在しないと判定した場合、前記追加された送信電力をその判定時点の送信電力よりも小さくするように制御することを特徴とする請求項１３または請求項１４記載の共通チャネル送信電力制御方法。
【請求項１６】
前記移動通信システムが、ＣＤＭＡ（Ｃｏｄｅ  Ｄｉｖｉｓｉｏｎ  Ｍｕｌｔｉｐｌｅ  Ａｃｃｅｓｓ）方式の移動通信システムであることを特徴とする請求項１２から請求項１５のいずれか記載の共通チャネル送信電力制御方法。
【請求項１７】
少なくともＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の共通チャネルの送信電力を制御する移動通信システムにおいて基地局装置と当該基地局装置を制御する基地局制御装置とのいずれかが実行するプログラムであって、
前記基地局装置と前記基地局制御装置とのいずれかの中央処理装置に、前記共通チャネルを使用する移動局が前記基地局装置近傍にしか存在しないことを有効パス状態に基づいて検出した時に前記共通チャネルの送信電力をその検出前の送信電力より小さくする制御処理を実行させるためのプログラム。
【発明の詳細な説明】
【技術分野】
【０００１】
本発明は移動通信システム、基地局装置及びそれに用いる共通チャネル送信電力制御方法並びにそのプログラムに関し、特にＣＤＭＡ（Ｃｏｄｅ  Ｄｉｖｉｓｉｏｎ  Ｍｕｌｔｉｐｌｅ  Ａｃｃｅｓｓ）移動通信システムにおいて、基地局装置から移動局へ送信される共通チャネルの送信電力制御に関する。
【背景技術】
【０００２】
ＣＤＭＡ移動通信システムにおいて、基地局装置から移動局へ送信される共通チャネル［ＣＰＩＣＨ（Ｃｏｍｍｏｎ  Ｐｉｌｏｔ  Ｃｈａｎｎｅｌ），Ｐ−ＣＣＰＣＨ（Ｐｒｉｍａｒｙ−Ｃｏｍｍｏｎ  Ｃｏｎｔｒｏｌ  Ｐｈｙｓｉｃａｌ  Ｃｈａｎｎｅｌ），Ｓ−ＣＣＰＣＨ（Ｓｅｃｏｎｄａｒｙ−Ｃｏｍｍｏｎ  Ｃｏｎｔｒｏｌ  Ｐｈｙｓｉｃａｌ  Ｃｈａｎｎｅｌ）等］は、セル境界にある移動局でも受信可能となる電力にて送信される。
【０００３】
従来のＣＤＭＡ基地局装置の送信部を図４に示す。図４において、共通チャネルデータ２０２は上位局（図示せず）から送信され、共通チャネル送信部２２−１に入力される。共通チャネル送信部２２−１ではまずチャネルコーディング部２２１−１において、ビットレート、データ内容に応じたビット符号化処理が行われ、無線送信用のフォーマットに変換後に拡散部２２２−１に入力される。拡散部２２２−１では、ビットレートに応じた符号化率の拡散符号で拡散され多重合成部２３へ出力する。
【０００４】
このような共通チャネル送信部２２−１〜２２−ｎがＣＰＩＣＨ用、Ｐ−ＣＣＰＣＨ用に複数存在する。これに対して、個別チャネル送信部２１−１〜２１−ｍもまたユーザ毎にチャネルコーディング部２１１−１にてビットレートやデータ内容に応じたビット符号化処理の後、拡散部２１２−１にて拡散処理され、多重合成部２３へ出力される。
【０００５】
多重合成部２３では、各共通チャネル＃１〜＃Ｎ、個別チャネル＃１〜＃Ｍの拡散データを各チャネルの電力値を踏まえて合成する。ここで、各共通チャネル＃１〜＃Ｎの送信電力は図示せぬ上位局（基地局制御装置）から指定された電力値が送信され、多重合成部２３へ入力される。
【０００６】
各個別チャネル＃１〜＃Ｍは図示せぬ移動局からのＴＰＣ（Ｔｒａｎｓｍｉｔ  Ｐｏｗｅｒ  Ｃｏｎｔｒｏｌ）ビットを復号して送信電力を制御し、その制御後の電力値が多重合成部２３へ入力される。このようにして、共通チャネル＃１〜＃Ｎの送信電力は、セル境界まで受信可能な電力が上位局から指定されて送信される（例えば、特許文献１参照）。したがって、基地局装置近傍の移動局にとっては共通チャネル＃１〜＃Ｎを十分すぎる電力で受信していることになる。
【０００７】
さらに、ＭＢＭＳ（Ｍｉｌｔｉｍｅｄｉａ  Ｂｒｏａｄｃａｓｔ／Ｍｕｌｔｉｃａｓｔ  Ｓｅｒｖｉｃｅ）等の新たなサービスが適用されると、Ｓ−ＣＣＰＣＨを用いてＰｏｉｎｔ−ｔｏ−Ｍｕｌｔｉｐｏｉｎｔのサービスが実行されることとなる。ＭＢＭＳではＳ−ＣＣＰＣＨを用いることによって複数の移動局が受信することで、テレビ映像、データ等のサービスを受けることができ、個別チャネルを用いないため、移動局の受信においては他の移動局からの干渉量が変わらない。
【０００８】
しかしながら、ＭＢＭＳ専用の新たなＳ−ＣＣＰＣＨが設定された場合に、基地局装置からの全送信電力値が増加するために、移動局側では個別チャネルのＳＩＲ（Ｓｉｇｎａｌ−ｔｏ−Ｉｎｔｅｒｆｅｒｅｎｃｅ  ｐｏｗｅｒ  Ｒａｔｉｏ）値が小さくなり、基地局装置への各個別チャネルの送信電力の増加を要求することになるため、結果的にセル内個別チャネルの最大所要ユーザが減少する懸念がある。
【０００９】
また、ＭＢＭＳを受信したい移動局が基地局装置近傍にあった場合でも、セル境界にあった場合でも、ＭＢＭＳ通信用のＳ−ＣＣＰＣＨは移動局の位置に関わらず同一の電力で送信されるため、ＭＢＭＳを受信したい移動局が基地局装置近傍にしか存在しなかった場合に、セル内において必要以上の電力を送信していることとなる。
【００１０】
【特許文献１】特開２００４−２０１０９５号公報
【発明の開示】
【発明が解決しようとする課題】
【００１１】
上述した従来のＣＤＭＡ移動通信システムの共通チャネルの送信電力では、セル境界まで受信可能となる電力が上位局から指定されて送信される。したがって、基地局装置近傍の移動局にとっては共通チャネルを十分すぎる電力で受信していることになる。
【００１２】
さらに、ＭＢＭＳ等の新たなサービスが適用されると、ＭＢＭＳの場合にはＳ−ＣＣＰＣＨを用いてＰｏｉｎｔ−ｔｏ−Ｍｕｌｔｉｐｏｉｎｔのサービスが運用されることとなる。ＭＢＭＳではＳ−ＣＣＰＣＨを用いることによって複数の移動局が同じデータを受信することで、テレビ映像、データ等のサービスを受けることができ、個別チャネルを用いないため、移動局の受信において他の移動局から受ける干渉量はＭＢＭＳがない場合と比べ変わらない。
【００１３】
しかしながら、ＭＢＭＳ専用の新たなＳ−ＣＣＰＣＨが設置された場合に、基地局装置の送信電力値が増加するため、移動局側では個別チャネルのＳＩＲ値が小さくなり、基地局装置への各個別チャネルの送信電力の増加を要求することになるため、結果的にセル内個別チャネルの最大所要ユーザが減少する懸念がある。
【００１４】
そこで、本発明の目的は上記の問題点を解消し、ＭＢＭＳ等の新たなサービス専用の共通チャネルが設定された場合に、セル内に存在する移動局が受信したいサービスの状況に応じ、追加となった専用サービスの共通チャネルを適切な送信電力で送信することができる移動通信システム、基地局装置及びそれに用いる共通チャネル送信電力制御方法並びにそのプログラムを提供することにある。
【課題を解決するための手段】
【００１５】
本発明による移動通信システムは、少なくともＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の共通チャネルの送信電力を制御する移動通信システムであって、
前記共通チャネルを使用する移動局が基地局装置近傍にしか存在しないことを有効パス状態に基づいて検出した時に前記共通チャネルの送信電力をその検出前の送信電力より小さくする制御手段を備えている。
【００１６】
本発明による基地局装置は、少なくともＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の共通チャネルの送信電力を制御する移動通信システムに用いる基地局装置であって、
前記共通チャネルを使用する移動局が自局近傍にしか存在しないことを有効パス状態に基づいて検出した時に前記共通チャネルの送信電力をその検出前の送信電力より小さくする制御手段を備えている。
【００１７】
本発明による共通チャネル送信電力制御方法は、少なくともＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の共通チャネルの送信電力を制御する移動通信システムに用いる共通チャネル送信電力制御方法であって、
基地局装置と当該基地局装置を制御する基地局制御装置とのいずれかが、前記共通チャネルを使用する移動局が前記基地局装置近傍にしか存在しないことを有効パス状態に基づいて検出した時に前記共通チャネルの送信電力をその検出前の送信電力より小さくする制御処理を実行している。
【００１８】
本発明によるプログラムは、少なくともＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の共通チャネルの送信電力を制御する移動通信システムにおいて基地局装置と当該基地局装置を制御する基地局制御装置とのいずれかが実行するプログラムであって、
前記基地局装置と前記基地局制御装置とのいずれかの中央処理装置に、前記共通チャネルを使用する移動局が前記基地局装置近傍にしか存在しないことを有効パス状態に基づいて検出した時に前記共通チャネルの送信電力をその検出前の送信電力より小さくする制御処理を実行させている。
【００１９】
すなわち、本発明の移動通信システムは、ＣＤＭＡ（Ｃｏｄｅ  Ｄｉｖｉｓｉｏｎ  Ｍｕｌｔｉｐｌｅ  Ａｃｃｅｓｓ）移動通信システムの送信部において、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）等の新たなサービスで共通チャネル数が追加となった場合に、使用されている個別チャネルの基地局装置でのパスサーチ結果による移動局の有効パスの状態を用いてセル内の受信位置を監視し、追加した共通チャネルにおけるサービスを受ける移動局が基地局装置近傍にしか存在しない場合、追加の共通チャネルの送信電力を小さくすることによって、必要以上の共通チャネルの送信電力を抑え、個別チャネルのセル内所要ユーザ容量を極力減らさないようにすることが可能となる。
【００２０】
より具体的に説明すると、本発明の移動通信システムでは、送信電力生成部が上位局から指定された送信電力値を基準にして、個別チャネル受信部における有効パスを用いて、追加された共通チャネルを利用している個別チャネルの中で最も有効パス位置の遠いユーザを検出する。
【００２１】
送信電力生成部は検出したユーザの有効パス位置から、追加された共通チャネルの送信電力を変更するかどうかを判定し、判定後の共通チャネルの送信電力を多重合成部へ出力する。
【００２２】
上記のように、本発明の移動通信システムでは、その時点で使用されている個別チャネルの有効パスサーチ位置を監視し、追加共通チャネルを利用したサービスを受ける移動局が基地局装置近傍にしか存在しない場合、追加となった共通チャネルの送信電力を小さくすることによって、必要以上の共通チャネルの電力送信を抑えることが可能となる。
【００２３】
したがって、本発明の移動通信システムでは、ＭＢＭＳ等の新たなサービスで追加となった共通チャネルにおいて、追加となる共通チャネルを利用したサービスを受ける移動局が基地局装置近傍にしか存在しない場合に、追加となった共通チャネルの送信電力を小さくするよう制御する送信電力生成部を設けているので、必要以上の共通チャネルの送信電力値を抑えることが可能となり、基地局装置または基地局制御装置の回路変更で構成することが可能であり、移動局側の回路変更及び演算処理が増えなることはない。
【００２４】
つまり、本発明の移動通信システムでは、ＭＢＭＳ等の新たなサービス専用の共通チャネルが設定された場合に、セル内に存在する移動局が受信したいサービスの状況に応じ、追加となった専用サービスの共通チャネルを適切な送信電力で送信することが可能となる。
【発明の効果】
【００２５】
本発明は、上記のような構成及び動作とすることで、ＭＢＭＳ等の新たなサービス専用の共通チャネルが設定された場合に、セル内に存在する移動局が受信したいサービスの状況に応じ、追加となった専用サービスの共通チャネルを適切な送信電力で送信することができるという効果が得られる。
【発明を実施するための最良の形態】
【００２６】
次に、本発明の実施例について図面を参照して説明する。図１は本発明の一実施例による基地局装置の構成を示すブロック図である。図１においては、本発明の一実施例による送信電力制御方法を用いたＣＤＭＡ（Ｃｏｄｅ  Ｄｉｖｉｓｉｏｎ  Ｍｕｌｔｉｐｌｅ  Ａｃｃｅｓｓ）基地局装置の追加された共通チャネルの送信部及び個別チャネル＃１〜＃Ｍの受信部を示している。
【００２７】
すなわち、ＣＤＭＡ基地局装置は、共通チャネル送信部１と、多重合成部２と、Ｄ／Ａ（ディジタル／アナログ）コンバータ３、送信側の無線部４と、送信アンテナ５と、受信アンテナ６と、受信側の無線部７と、Ａ／Ｄ（アナログ／ディジタル）コンバータ８と、個別チャネル（＃１〜＃Ｍ）受信部９−１〜９−ｍとから構成されている。
【００２８】
共通チャネル送信部１は、チャネルコーディング部１１と、拡散部１２と、送信電力生成部１３とを備え、個別チャネル（＃１〜＃Ｍ）受信部９−１〜９−ｍはビット復号部９１−１〜９１−ｍと、逆拡散部９２−１〜９２−ｍとを備えている。
【００２９】
共通チャネルデータ１０１は図示せぬ上位局（基地局制御装置）から送信され、共通チャネル送信部１に入力される。共通チャネル送信部１ではまずチャネルコーディング部１１にて、共通チャネルデータ１０１に対してビットレート、データ内容に応じたビット符号化処理を行い、無線送信用のフォーマットに変換し、その変換した信号を拡散部１２に入力する。
【００３０】
拡散部１２では、入力された信号に対して、ビットレートに応じた符号化率の拡散符号で拡散し、その拡散した信号を多重合成部２へ出力する。多重合成部２では、図示せぬ各共通チャネルと各個別チャネルの拡散データを各共通チャネルの電力値と各個別チャネルの電力値とを踏まえて合成される。ここで、各共通チャネルの送信電力は上位局から指定された電力値が送信される。
【００３１】
一方、追加された共通チャネルの送信電力は、上位局から指定された送信電力値１０２が送信電力生成部１３に入力される。また、信号１０３にて追加された共通チャネルを利用している移動局の情報が送信電力生成部１３へ入力される。
【００３２】
送信電力生成部１３では、個別チャネル受信部９−１〜９−ｍにおけるパスサーチ結果の有効パス１１１〜１１ｍが入力され、追加された共通チャネルを利用している個別チャネルの中で最も有効パス位置が基地局装置から遠い移動局（ユーザ）を検出する。
【００３３】
さらに、送信電力生成部１３は、検出したユーザの有効パス位置の状態から、追加された共通チャネルの送信電力を決定し、多重合成部２へ出力する。多重合成部２の出力はＤ／Ａコンバータ３でＤ／Ａ変換された後、無線部４を介して送信アンテナ５から送信される。
【００３４】
尚、本実施例では、個別チャネル受信部９−１〜９−ｍを用いて、追加された共通チャネルを利用する移動局が個別チャネルを使用する場合の構成であるが、追加された共通チャネルを利用する移動局が個別チャネルを利用していない場合には、基地局装置が移動局のランダムアクセスチャネルの有効パスを利用してもよい。また、本実施例では、送信電力生成部１３は基地局装置に設けられているが、基地局制御装置に設置することも可能である。
【００３５】
図２は図１に示す送信電力生成部１３の構成例を示すブロック図である。図２において、送信電力生成部１３は、メモリ１３１と、送信電力設定部１３２と、判定部１３３と、有効パス判定部１３４とから構成されている。
【００３６】
図３は図１に示す送信電力生成部１３の動作を示すフローチャートである。これら図１〜図３を参照して本発明の一実施例による基地局装置の動作、特に送信電力生成部１３の動作について説明する。尚、図３に示す処理は基地局装置の図示せぬＣＰＵ（中央処理装置）がプログラムを実行することでも実現可能である。その場合、送信電力生成部１３の送信電力設定部１３２、判定部１３３、有効パス判定部１３４の処理はＣＰＵによるプログラムの実行にて実現される。
【００３７】
まず、メモリ１３１には追加される共通チャネルの送信電力Ａが入力される（図３ステップＳ１）。有効パス判定部１３４は、個別チャネル受信部９−１〜９−ｍから出力されたパスサーチ結果の有効パス位置情報１１１〜１１ｍに基づいて、有効パス位置があるしきい値（所定のしきい値）αよりも近いパス遅延情報を検出し（図３ステップＳ２）、そのパス遅延情報を判定部１３３へ出力する。
【００３８】
判定部１３３は、有効パス位置があるしきい値αよりも近いパス遅延情報のうち、信号１０３から入力される追加された共通チャネルを利用している移動局の情報に該当するかどうかを判定し（図３ステップＳ３）、その判定結果の情報を送信電力設定部１３２へ送信する。
【００３９】
送信電力設定部１３２は判定部１３３の判定結果に基づき、有効パス位置があるしきい値α以下で、追加された共通チャネルを利用している移動局がある場合、追加された共通チャネルの送信電力をＢ（Ａ＞Ｂ）に下げる（図３ステップＳ４）。また、送信電力設定部１３２は有効パス位置があるしきい値α以下でない場合、あるいは追加された共通チャネルを利用している移動局がない場合、追加された共通チャネルの送信電力を変更しない（図３ステップＳ５）。
【００４０】
このように、本実施例では、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）等の新たなサービスで追加となった共通チャネルにおいて、追加となる共通チャネルを利用したサービスを受ける移動局が基地局装置近傍にしか存在しないと判定した場合、追加となった共通チャネルの送信電力をその判定時点の送信電力よりも小さくするよう制御する送信電力生成部１３を設けているので、必要以上の共通チャネルの送信電力値を抑えることができる。
【００４１】
また、本実施例では、上記のような構成としているので、基地局装置または基地局制御装置の回路変更で上記の送信制御を実現することができ、移動局側の回路変更及び演算処理が増えることはない。
【００４２】
尚、本発明では、上記の送信電力生成部１３において、追加された共通チャネルを利用したい移動局があるしきい値（所定のしきい値）数以上存在しないと判定した場合、追加された送信電力をその判定時点の送信電力よりも小さくするように制御することも可能である。このように、本発明では、セル境界に近い位置で受信したい移動局が少なければ共通チャネルの送信電力を小さくして、追加した共通チャネルの送信エリアだけを狭くさせることも可能である。
【図面の簡単な説明】
【００４３】
【図１】本発明の一実施例による基地局装置の構成を示すブロック図である。
【図２】図１に示す送信電力生成部の構成例を示すブロック図である。
【図３】図１に示す送信電力生成部の動作を示すフローチャートである。
【図４】従来の基地局装置の構成を示すブロック図である。
【符号の説明】
【００４４】
１  共通チャネル送信部
２  多重合成部
３  Ｄ／Ａコンバータ
４  送信側の無線部
５  送信アンテナ
６  受信アンテナ
７  受信側の無線部
８  Ａ／Ｄコンバータ
９−１〜９−ｍ  個別チャネル（＃１〜＃Ｍ）受信部
１１  チャネルコーディング部
１２  拡散部
１３  送信電力生成部
９１−１〜９１−ｍ  ビット復号部
９２−１〜９２−ｍ  逆拡散部
１３１  メモリ
１３２  送信電力設定部
１３３  判定部
１３４  有効パス判定部
【図１】
2008136005.tif 000003
【図２】
2008136005.tif 000004
【図３】
2008136005.tif 000005
【図４】
2008136005.tif 000006